(57)【要約】      （修正有）【課題】ベッドに使用した場合に両端が上手く垂れ下がって就寝中に布団がずれてしまうことがないベッド用羽毛掛け布団を実現する。【解決手段】格子状に配したマチテープ２Ａ、２Ｂを介して表地１と裏地を立体キルト状に縫い合わせることによりマチテープに囲まれる複数の区画室を製袋し、各区画室に羽毛を充填したベッド用羽毛掛け布団において、巾方向の中央の区画室Ａ、Ｂ１、Ｂ２に対し、両端付近の区画室Ｃ１、Ｃ２に充填する羽毛の充填密度を低くする。【選択図】図１
0003222485.tif 000002
【実用新案登録請求の範囲】
【請求項１】
格子状に配したマチテープを介して表地と裏地を立体キルト状に縫い合わせることによりマチテープに囲まれる複数の区画室を製袋し、各区画室に羽毛を充填したベッド用羽毛掛け布団において、巾方向の中央の区画室に対し、両端付近の区画室に充填する羽毛の充填密度を低くしたことを特徴とする羽毛掛け布団。
【請求項２】
巾方向において、区画室を５列設け、中央の区画室とその両隣の区画室内に充填する羽毛の充填密度に対し、布団の両端に位置する区画室内に充填する羽毛の充填密度を低くした請求項１記載のベッド用羽毛掛け布団。
【請求項３】
巾方向において、区画室を７列設け、中央の区画室とその両隣の区画室内に充填する羽毛の充填密度に対し、上記区画室の両隣の区画室内に充填する羽毛の充填密度を少なくするとともに、上記区画室内に充填する羽毛の充填密度に対し、布団の両端に位置する区画室内に充填する羽毛の充填密度をさらに低くした請求項１記載のベッド用羽毛掛け布団。
【考案の詳細な説明】
【技術分野】
【０００１】
本願考案は羽毛掛け布団に関し、より詳細にはベッドに使用する立体キルト状の羽毛掛け布団に関する。
【背景技術】
【０００２】
格子状に配したマチテープを介して表地と裏地を縫い合わせることによりマチテープに囲まれる複数の区画室を製袋し、各区画室に羽毛を充填した羽毛掛け布団が立体キルト羽毛布団として知られている。
【先行技術文献】
【特許文献】
【０００３】
【特許文献１】特開２００７- ２０９６８４号公報
【考案の概要】
【考案が解決しようとする課題】
【０００４】
前記の説明から明らかなように、従来技術の羽毛掛け布団においては、羽毛を充填した各区画室は同等の形状および量をもって膨らんでいる。
【０００５】
ところで、畳などの床での就寝に使用する羽毛掛け布団と異なり、ベッドに使用する羽毛掛け布団においては布団の巾方向両端が下方向に垂れ下がる。この場合、立体キルト羽毛布団においては膨らみにより上手く垂れ下がらず、就寝中に布団がずれてしまう問題があった。
【０００６】
また、巾が広い羽毛掛け布団においては長さと巾の寸法が近接しており、寝相が悪い使用者が布団を回転させてしまった場合、暗がりにおいて布団の縦横が分からず掛け直しがうまくできない問題もあった。
【課題を解決するための手段】
【０００７】
本願考案は前記の従来の羽毛掛け布団の問題点に鑑みて創作されたものであり、格子状に配したマチテープを介して表地と裏地を立体キルト状に縫い合わせることによりマチテープに囲まれる複数の区画室を製袋し、各区画室に羽毛を充填したベッド用羽毛掛け布団において、巾方向の中央の区画室に対し、両端付近の区画室に充填する羽毛の充填密度を低くしたことを特徴とする。
【０００８】
また、請求項２記載の考案は前記のベッド用羽毛掛け布団において、巾方向において、区画室を５列設け、中央の区画室とその両隣の区画室内に充填する羽毛の充填密度に対し、布団の両端に位置する区画室内に充填する羽毛の充填密度を低くしたことを特徴とする。
【０００９】
また、請求項３記載の考案は前記のベッド用羽毛掛け布団において、巾方向において、区画室を７列設け、中央の区画室とその両隣の区画室内に充填する羽毛の充填密度に対し、上記区画室の両隣の区画室内に充填する羽毛の充填密度を少なくするとともに、上記区画室内に充填する羽毛の充填密度に対し、布団の両端に位置する区画室内に充填する羽毛の充填密度をさらに低くしたことを特徴とする。
【考案の効果】
【００１０】
以上の構成からなる本願考案のベッド用羽毛掛け布団によれば、巾方向の中央の区画室に対し、両端付近の区画室に充填する羽毛の充填密度を低くしているので、両端付近の区画室の厚みが中央の区画室に対し薄くなり、ベッドに使用した場合に上手く垂れ下がって就寝中に布団がずれてしまうことがない。
【００１１】
また、同様の理由により、両端付近がベッドに使用した場合に上手く垂れ下がるので布団を掛けたときのフィット感が向上し、保温性能が高まる。
【００１２】
また、両端付近の区画室の厚みが中央の区画室に対し薄いので、暗がりにおいても手触りによって布団の縦横を把握することができ、寝相が悪い使用者が布団を回転させてしまった場合でも、布団の掛け直しを手さぐりで行うことができる。
【００１３】
一方、羽毛の充填密度を低くしているのは就寝者の体には被さらず垂れ下がる両端箇所なので、保温性能を犠牲にせず布団全体の羽毛量を少なくできるのでコスト面ダウンに寄与する。
【００１４】
また、同様の理由からベッド用羽毛掛け布団の軽量化も実現できる。
【図面の簡単な説明】
【００１５】
【図１】本願考案のベッド用羽毛掛け布団の表側から観察した斜視図。
【図２】同上、平面図
【図３】同上、断面図
【図４】本願考案のベッド用羽毛掛け布団の第２実施例の平面図。
【考案を実施するための最良の形態】
【００１６】
以下、本願考案のベッド用羽毛掛け布団の実施例を添付図面に基づいて説明する。図１は掛け布団を表側から観察した状態の斜視図、同じく図２は平面図、同じく図３は断面図であ。本願考案の羽毛掛け布団は格子状に配したマチテープを介して表地と裏地を立体キルト状に縫い合わせることによりマチテープに囲まれる複数の区画室を製袋し、各区画室に羽毛（図示せず）を充填する。具体的には格子状に配した縦横のマチテープ２Ａ、２Ｂの上下を表地１の内側および裏地３の内側に縫着することによりマチテープを介して両者を結合する（図２参照）。
【００１７】
この場合、本願考案は前記区画室中の巾方向の中央の区画室に対し、両端付近の区画室に充填する羽毛の充填密度を低くしいる。                                                
【００１８】
具体的には、巾方向において、区画室を５列設け、中央の区画室Ａ、その両隣の区画室内Ｂ１、Ｂ２に充填する羽毛の充填密度に対し、布団の両端に位置する区画室Ｃ１、Ｃ２内に充填する羽毛の充填密度を低くしている。
【００１９】
ここでは具体例として次のベッド用羽毛掛け布団を開示する。
布団：巾１５０ｃｍ、長さ２１０ｃｍ
羽毛：ホワイトダックダウン５０％、フェザー５０％
区画室Ａ：        巾５０ｃｍ、羽毛充填密度：４４０ｇ／ｍ２
区画室Ｂ１、Ｂ２：巾３０ｃｍ、羽毛充填密度：４４０ｇ／ｍ２
区画室Ｃ１、Ｃ２：巾２０ｃｍ、羽毛充填密度：２１０ｇ／ｍ２
【００２０】
図４は本願考案のベッド用羽毛掛け布団の第２実施例を示すものであり、巾方向において、区画室を７列設け、中央の区画室Ｄとその両隣の区画室Ｅ１、Ｅ２内に充填する羽毛の充填密度に対し、上記区画室Ｅ１、Ｅ２の両隣の区画室Ｆ１、Ｆ２内に充填する羽毛の充填密度を少なくするとともに、上記区画室Ｆ１、Ｆ２に充填する羽毛の充填密度に対し、布団の両端に位置する区画室Ｇ１、Ｇ２内に充填する羽毛の充填密度をさらに低くしている。
【００２１】
ここでは具体例として次のベッド用羽毛掛け布団を開示する。
布団：巾１５０ｃｍ、長さ２１０ｃｍ
羽毛：ホワイトダックダウン５０％、フェザー５０％
区画室Ｄ：        巾５０ｃｍ、羽毛充填密度：４００ｇ／ｍ２
区画室Ｅ１、Ｅ２：巾３０ｃｍ、羽毛充填密度：４００ｇ／ｍ２
区画室Ｆ１、Ｆ２：巾１０ｃｍ、羽毛充填密度：２３０ｇ／ｍ２
区画室Ｇ１、Ｇ２：巾１０ｃｍ、羽毛充填密度：１６０ｇ／ｍ２
【符号の説明】
【００２２】
Ａ                区画室
Ｂ１、Ｂ２        区画室
Ｃ１、Ｃ２        区画室
Ｄ                区画室
Ｅ１、Ｅ２        区画室
Ｆ１、Ｆ２        区画室
Ｇ１、Ｇ２        区画室
１                表地
２Ａ、２Ｂ        マチテープ
３                裏地
【図１】
0003222485.tif 000003
【図２】
0003222485.tif 000004
【図３】
0003222485.tif 000005
【図４】
0003222485.tif 000006